(57)【要約】【課題】例えば鉄骨造等の建築物や構築物の柱等の構造躯体に外壁材や防護壁などとして取付けられる壁パネル取付金具と壁パネル取付構造およびその施工方法に係り、部品点数・組立工数が少なく、かつ壁パネルを建物躯体に容易・迅速に取付けることのできる壁パネル取付金具およびそれを用いた壁パネル取付構造ならびにその施工方法を提供する。【解決手段】本発明による壁パネル取付金具は、長方形の壁パネルを横長に配置して横方向に隣り合う壁パネルの隣接する端部を建物躯体等の構造躯体に取付けるための壁パネル取付金具１であって、鋼板等の平板状の金属板よりなる長方形の金具本体１０の長手方向一端側に、取付ボルト挿通用の貫通孔１１を設けると共に、長手方向他端側に係止ボルト係合用の切欠溝１２を設けたことを特徴とする。【選択図】  図１
2010159540.tif 000002
【特許請求の範囲】
【請求項１】
長方形の壁パネルを横長に配置して横方向に隣り合う壁パネルの隣接する端部を建物躯体等の構造躯体に取付けるための壁パネル取付金具であって、
鋼板等の平板状の金属板よりなる長方形の金具本体の長手方向一端側に、取付ボルト挿通用の貫通孔を設けると共に、長手方向他端側に係止ボルト係合用の切欠溝を設けたことを特徴とする壁パネル取付金具。
【請求項２】
長方形の壁パネルを横長に並べて配置して横方向に隣り合う壁パネルの隣接する端部同士を上記請求項１に記載の壁パネル取付金具を介して建物躯体等の構造躯体に取付けるようにした壁パネル取付構造であって、
上記の隣り合う一方の壁パネルの隣接する端部に上記壁パネル取付金具を取付ボルトで取付けると共に、上記の隣り合う他方の壁パネルの隣接する端部に係止ボルトを取付け、その係止ボルトを上記壁パネル取付金具の切欠溝に係合させることによって上記の隣り合う壁パネルを上記壁パネル取付金具を介して連結すると共に、該壁パネル取付金具を上記構造躯体に溶接固定することによって、上記両壁パネルを上記壁パネル取付金具を介して上記構造躯体に取付け支持させたことを特徴とする壁パネル取付構造。
【請求項３】
上記請求項２に記載の壁パネル取付構造を施工するに際して、上記の横方向に隣り合う壁パネルを、その横方向一端側から順に上記構造躯体に取付けるに当たり、その取付けるべき壁パネルの一端側に予め係止ボルトを取付けると共に、他端側に取付ボルトにより壁パネル取付金具を予め取付け、その壁パネルの一端を上記係止ボルトにより、予め構造躯体に溶接固定した壁パネル取付金具の切欠溝に係合保持させた状態で該壁パネルの他端側に取付けた壁パネル取付金具を隣接する構造躯体に溶接固定するようにしたことを特徴とする壁パネル取付構造の施工方法。
【発明の詳細な説明】
【技術分野】
【０００１】
本発明は、例えば鉄骨造等の建築物や構築物の柱等の構造躯体に外壁材や防護壁などとして取付けられる壁パネル取付金具と壁パネル取付構造およびその施工方法に関する。更に詳しくは、例えばＡＬＣ（軽量気泡コンクリート）パネルや押出成形セメント板などよりなる長方形の壁パネルを横長に配置して、その長手方向両端部を柱等の構造躯体に取付けるための壁パネル取付金具と、それを用いた壁パネル取付構造およびその施工方法に関するものである。
【背景技術】
【０００２】
従来、長方形の壁パネルを横長に配置して建物躯体等の構造躯体に取付ける場合の壁パネル取付構造としては、例えば図７（ａ）に示す構成のものが実施されていた。すなわち、図７に示す壁パネル取付構造は、垂直方向に起立させて設けた鉄骨柱Ｆ１等の構造躯体Ｆの一側面に下地取付用金物７１を突出させて設けると共に、その下地取付用金物７１の両側に、それぞれアングル材よりなる下地金物７２を溶接等で取付ける。一方、横方向に隣り合う壁パネルＰ・Ｐの端部には、それぞれ該パネルＰ内に埋設した棒状のアンカー７３等を用いてアイボルト７４を取付け、その各アイボルト７４の先端にイナズマプレート７６を貫通させてナット７５で締め付け固定する。そして、上記各イナズマプレート７６と壁パネルＰとの間に上記下地金物７２を挟んで固定すると共に、必要に応じて上記下地金物７２とイナズマプレート７４とを溶接することによって上記両パネルＰ・Ｐを構造躯体Ｆに取付ける構成である。
【０００３】
ところが、上記従来の壁パネル取付構造は、１つの鉄骨柱Ｆ１に対して、少なくとも1つの下地取付用金物７１と、２つの下地金物７２および２つのイナズマプレート７６を用いるものであるから、部品点数・組立工数が多く、それらの部品の製作、およびそれらを用いて壁パネルＰを構造躯体に取付けるのに多大な労力と時間を要する。そのため、製作コストや施工コストが増大すると共に、工期が長びく等の不具合があった。
【０００４】
そこで、下記特許文献１においては、図７（ｂ）に示すように下地取付用金物７１に取付ける下地金物７２を１つに減らし、その下地金物７２に壁パネル取付金具７７を溶接等で固着し、その壁パネル取付金具７７に、隣接する壁パネルＰ・Ｐの端部を、前記と同様に各壁パネルＰの端部に埋設した棒状のアンカー７３等を用いて予め取付けたアイボルト７４と、それにねじ込んだナット７５とで取付けることによって、前記２つのイナズマプレート７６を省略するようにした取付構造が提案されている。
【０００５】
しかし、上記の取付構造においても依然として下地取付用金物７１と下地金物７２とが必要で部品点数・組立工数の削減効果は少ない。また隣接する壁パネルＰ・Ｐを柱Ｆ１に取付ける際には、その一方の壁パネルＰに壁パネル取付金具７７を上記アイボルト７４とナット７５とで予め取付けておき、その壁パネルＰとともに上記取付金具７７を柱Ｆ１に取付けた後に、その取付金具７７に他方の壁パネルＰを上記アイボルト７４とナット７５とで取付けるもので、その際、上記アイボルト７４は取付金具７７に予め形成した円形のボルト挿通孔（不図示）に挿入するものであるが、上記他方の壁パネルＰを持った状態で上記ボルト挿通孔とアイボルト７４との位置合わせを行うのは作業が煩雑かつ面倒であり、また上記ボルト挿通孔とアイボルト７４との位置が僅かでもずれていると、挿入不能となる等の不具合がある。そのため、下地金物７２に壁パネル取付金具７７を取付ける際には、壁パネルＰのアイボルト７４とボルト挿通孔の位置が一致するように、細かく調整して取付金具７７を取付ける必要があり、また壁パネルＰの取付金具７７に対する位置合わせも慎重に行う必要があるなど、作業性が劣る等の問題があった。
【０００６】
【特許文献１】特開２０００−９６７４７号公報
【発明の開示】
【発明が解決しようとする課題】
【０００７】
本発明は上記の問題点に鑑みて提案されたもので、部品点数・組立工数が少なく、かつ壁パネルを建物躯体に容易・迅速に取付けることのできる壁パネル取付金具およびそれを用いた壁パネル取付構造ならびにその施工方法を提供することを目的とする。
【課題を解決するための手段】
【０００８】
上記の目的を達成するために本発明による壁パネル取付金具および取付構造は、以下の構成としたものである。すなわち、本発明による壁パネル取付金具は、長方形の壁パネルを横長に配置して横方向に隣り合う壁パネルの隣接する端部を建物躯体等の構造躯体に取付けるための壁パネル取付金具であって、鋼板等の平板状の金属板よりなる長方形の金具本体の長手方向一端側に、取付ボルト挿通用の貫通孔を設けると共に、長手方向他端側に係止ボルト係合用の切欠溝を設けたことを特徴とする。
【０００９】
また本発明による壁パネル取付構造は、長方形の壁パネルを横長に並べて配置して横方向に隣り合う壁パネルの隣接する端部同士を上記請求項１に記載の壁パネル取付金具を介して建物躯体等の構造躯体に取付けるようにした壁パネル取付構造であって、上記の隣り合う一方の壁パネルの隣接する端部に上記壁パネル取付金具を取付ボルトで取付けると共に、上記の隣り合う他方の壁パネルの隣接する端部に係止ボルトを取付け、その係止ボルトを上記壁パネル取付金具の切欠溝に係合させることによって上記の隣り合う壁パネルを上記壁パネル取付金具を介して連結すると共に、該壁パネル取付金具を上記構造躯体に溶接固定することによって、上記両壁パネルを上記壁パネル取付金具を介して上記構造躯体に取付け支持させたことを特徴とする。
【００１０】
さらに本発明による壁パネル取付構造の施工方法は、上記のような壁パネル取付構造を施工するに際して、上記の横方向に隣り合う壁パネルを、その横方向一端側から順に上記構造躯体に取付けるに当たり、その取付けるべき壁パネルの一端側に予め係止ボルトを取付けると共に、他端側に取付ボルトにより壁パネル取付金具を予め取付け、その壁パネルの一端を上記係止ボルトにより、予め構造躯体に溶接固定した壁パネル取付金具の切欠溝に係合保持させた状態で該壁パネルの他端側に取付けた壁パネル取付金具を隣接する構造躯体に溶接固定するようにしたことを特徴とする。
【発明の効果】
【００１１】
上記のように構成された本発明による壁パネル取付金具は、横長の長方形に形成された金具本体の長手方向一端側にボルト挿通用の貫通孔を、長手方向他端側にボルト係合用の切欠溝を設けるだけの極めて簡単な構成であるから容易・安価に製作できると共に、上記の壁パネル取付金具を用いて長方形の壁パネルを横長に配置して建物躯体等の構造躯体に簡単・確実に取付ることが可能となる。
【００１２】
また本発明による壁パネル取付構造は、上記のように横方向に隣り合う壁パネルの隣接する端部同士を壁パネル取付金具で連結すると共に、その壁パネル取付金具を建物躯体等の構造躯体に直接溶接固定するようにしたから、構造が簡単で部品点数・組立工数が少なく、上記パネルを構造躯体に容易・迅速に取付けることができる。また前記従来のような下地金物を用いることなく、上記壁パネルを構造躯体に直接取付けることができるので、その下地金物を建物躯体に取付ける手間が省け、工期を短縮することが可能となる。
【００１３】
さらに本発明による壁パネル取付構造の施工方法は、取付けるべき壁パネルの一端側に予め係止ボルトを取付けると共に、他端側に取付ボルトにより壁パネル取付金具を予め取付け、その壁パネルの一端を上記係止ボルトにより、予め構造躯体に溶接固定した壁パネル取付金具の切欠溝に係合保持させた状態で該壁パネルの他端側に取付けた壁パネル取付金具を隣接する構造躯体に溶接固定するようにしたから、略長方形所の壁パネルを横長に配置して取付ける際に、該パネルの端部を作業者が支持することなく、上記の溶接作業を行うことができる。そのため、上記の溶接作業を含むパネル取付作業を容易・迅速に行うことができると共に、上記のようなパネル取付作業を順次繰り返すことによって横方向に隣り合う壁パネルを順に効率よく構造躯体に取付けることが可能となる。
【発明を実施するための最良の形態】
【００１４】
以下、本発明による壁パネル取付金具およびそれを用いた壁パネル取付構造を図に示す実施形態に基づいて具体的に説明する。図１（ａ）は本発明による壁パネル取付金具の一実施形態を示す平面図、（ｂ）は正面図である。
【００１５】
本実施形態は、長方形の壁パネルを横長に配置して横方向に隣り合う壁パネルの隣接する端部を建物躯体等の構造躯体に取付けるための壁パネル取付金具１を、鋼板等の金属板よりなる長方形の金具本体１０で構成し、その金具本体１０の長手方向一端側取付ボルト挿通用の貫通孔１１を設けると共に、長手方向他端側に係止ボルト係合用のＵ字状の切欠溝１２を設けたものである。
【００１６】
特に、図の場合は横長の長方形を呈する金具本体１０の長手方向一端側（図示例においては図１（ｂ）で左右方向左側）の幅方向中央部に上記貫通孔１１を、また金具本体１０の長手方向他端側（図示例においては図１（ｂ）で左右方向右側）の幅方向中央部から一方（図の場合は上方）の長辺の縁部に向かって端部１２ａが開口する切欠溝１２をそれぞれ設けた構成である。
【００１７】
上記のように構成された壁パネル取付金具１の上記貫通孔１１を利用して取付ボルト２等で、前記の横方向に隣り合う壁パネルＰ・Ｐの一方の端部に上記壁パネル取付金具１を取付け、その壁パネル取付金具１の上記切欠溝１２に他方の壁パネルＰの端部に設けた係止ボルト３を係合させることによって、上記両壁パネルＰ・Ｐを壁パネル取付金具１を介して互いに連結することができる。また上記の壁パネル取付金具１を建物躯体等の構造躯体に適宜の手段で固着することによって、上記両壁パネルＰ・Ｐを取付金具１を介して上記構造躯体に取付けることができるものである。
【００１８】
上記のように本発明による壁パネル取付金具１は、長方形の金属板よりなる金具本体１０の一端側にボルト挿通用の貫通孔１１を、他端側にボルト係合用の切欠溝１２を設けるだけの極めて簡単な構成によって、上記のように横方向に隣り合う壁パネルＰ・Ｐを連結したり、構造躯体に取付けることが可能となる。また本発明による壁パネル取付金具１は上記のように構成が簡単であるから、容易・安価に製造することができる。
【００１９】
次に、上記のように構成された壁パネル取付金具１を用いてＡＬＣパネル等の壁パネルを建物躯体等の構造躯体に取付ける壁パネル取付構造の具体的な実施形態について説明する。図２〜図５は上記のような壁パネル取付構造の一実施形態を示すもので、図２（ａ）は本発明による壁パネル取付構造の一実施形態を示す平面図、同図（ｂ）はその正面図、図３（ａ）および（ｂ）はそれぞれ図２（ａ）および（ｂ）の一部の拡大図、図３（ｃ）は図３（ｂ）の側面図、図４（ａ）は図３（ａ）の一部切欠き拡大図、図４（ｂ）は図３（ｂ）の一部の拡大図、図５（ａ）および（ｂ）は上記実施形態の施工状態を示す平面図および正面図である。
【００２０】
本実施形態は長方形状の壁パネルＰを横長に配置して、鉄骨造等の建築物における柱Ｆ１等の構造躯体（建物躯体）Ｆの側面に上下および横方向に並べた状態で、その各横方向に隣り合う壁パネルＰ・Ｐの隣接する端部同士を上記壁パネル取付金具１で互いに連結すると共に、その各壁パネル取付金具１を鉄骨柱Ｆ１等よりなる構造躯体Ｆに溶接Ｗによって固定することによって、上記各壁パネルＰを上記各壁パネル取付金具１を介して上記構造躯体Ｆに取付けたものである。
【００２１】
上記各壁パネル取付金具１は、本実施形態においては取付ボルト２によって各壁パネルＰの一端側（図の場合は右端側）に取付けられ、その各壁パネル取付金具１の切欠溝１２に、上記各壁パネルＰの他端側（図の場合は左端側）に設けた係止ボルト３を係合させることによって、横方向に隣り合う壁パネルＰ・Ｐを上記各壁パネル取付金具１を介して連結した構成である。上記取付ボルト２および係止ボルト３は、図４（ａ）に示すように、それぞれ壁パネルＰの小口面側からパネルＰ内に向かって形成した孔ｈ内に筒状または棒状のアンカー５を挿入し、そのアンカー５に形成した雌ねじ孔（不図示）に各ボルト２，３の先端部をねじ込むことによって上記各壁パネルＰに取付け支持させた構成であるが、その各ボルト２，３を壁パネルＰに取付け支持させる手段や構成は適宜変更可能である。
【００２２】
なお、上記各壁パネル取付金具１の構造躯体Ｆに対する溶接方法や溶接箇所は適宜であるが、本実施形態においては上記取付金具１を壁パネルＰに予め取付けた状態で溶接するようにしたもので、その際、上記パネルＰで覆われて溶接不能な部分を除いて上記各壁パネル取付金具１と構造躯体Ｆとの当接部の周縁部を溶接固定した構成である。図中、４は壁パネルＰと構造躯体Ｆとの間に隙が生じて風圧等によって上記壁パネルＰが変形したり損傷するのを防ぐための受圧プレートで、該プレート４は図の場合は上下および左右に隣接する壁パネルＰの端部と構造躯体Ｆとの間に介在させると共に、構造躯体Ｆとしての鉄骨柱Ｆ１の側面に溶接Ｗで固定した構成である。
【００２３】
上記のように構成された壁パネルの取付構造を施工する際の手順等は適宜であるか、例えば横方向に隣り合う壁パネルＰ・Ｐを、その横方向一端側から順に上記構造躯体Ｆに取付ければよく、その際、取付けるべき壁パネルＰの一端側に予め係止ボルト３を取付けると共に、他端側に取付ボルト２により壁パネル取付金具１を取付けておき、上記壁パネルＰの一端を上記係止ボルト３により、予め構造躯体Ｆに溶接固定した壁パネル取付金具１の切欠溝１２に係合保持させた状態で該壁パネルＰの他端側に取付けた壁パネル取付金具１を隣接する次位の鉄骨柱Ｆ１等の構造躯体Ｆに溶接固定すればよい。
【００２４】
具体的には、例えば図５に示すように長方形の壁パネルＰを横長に配置した状態で横方向一端側、例えば左端側の壁パネルＰから順に並べて取付ける場合には、その取付けるべき壁パネルＰの一端側（図の場合は左端側）に予め係止ボルト３を取付けると共に、他端側に壁パネル取付金具１を、その取付金具１の貫通孔１１に挿通した取付ボルト２で取付けておき、予め例えば図５で左側の柱Ｆ１等の構造躯体Ｆに取付けておいた壁パネル取付金具１の係止溝１２に、上記壁パネルＰの係止ボルト３を係合した後、その壁パネルＰの他端側に取付けておいた壁パネル取付金具１を隣接する次位の柱Ｆ１等の構造躯体（図の場合は図５で右側の構造躯体）Ｆに溶接固定する。それによって、上記壁パネルＰの一端側が、既設の取付金具１に、その係止溝１２と、それに係合させた係止ボルト３とを介して保持された状態で上記の溶接作業を行うことが可能となり、上記パネルＰを構造躯体Ｆに容易・迅速に取付け支持させることができるものである。また、上記の取付作業を横方向他端側、図の場合は右側に取付けられる壁パネルＰについても上記と同様に繰り返すことによって上記パネルＰを横方向に順に並べて取付けていけばよい。さらに壁パネルＰを上下方向に多段に取付ける場合には、上記の取付作業を上下いずれか一方、例えば下側から順に行って壁パネルを順次縦横に並べた状態で取付ければよい。
【００２５】
なお、上記の上下多段もしくは1段に取付ける際の各段の最初の壁パネルの一端側（取付ボルト２と反対側）の端部は、必ずしも上記のような壁パネル取付金具１を用いることなく適宜の手段で支持させてもよいが、上記のような壁パネル取付金具１を含めて少なくとも一端側が構造躯体Ｆに溶接可能で、他端側に係止溝１２を有するものを用いれば、上記と同様の要領で取付けることができる。特に、上記取付金具１を構造躯体Ｆに予め溶接固定しておき、壁パネルＰの一端側に予め係止ボルト３を取付けると共に、他端側に壁パネル取付金具１を取付けておくことで、上記係止ボルト３を上記係止溝１２に係合するだけで上記パネルＰの一端を構造躯体Ｆに連結保持させることができると共に、その状態で上記壁パネルＰに取付けた壁パネル取付金具１を次の構造躯体Ｆに容易に溶接固定することができる。
【００２６】
上記のように取付けるべき壁パネルＰの一端側を係止ボルト３により、先に構造躯体Ｆに取付けた壁パネル取付金具１に係合保持させた状態で、該壁パネルＰの他端側に取付けた壁パネル取付金具１を隣接する構造躯体Ｆに溶接固定することで、横長の壁パネルの両端部を、それぞれ別の作業者が支持したり、専用の支持部材等を用意することなく、上記の溶接作業を容易・迅速に行うことが可能となる。また上記のような溶接作業を順次繰り返すことによって横方向に隣り合う壁パネルを順に効率よく構造躯体Ｆに取付けることができるものである。
【００２７】
なお、上記のような柱Ｆ１等の構造躯体Ｆに壁パネルＰを取付ける際に、該壁パネルＰを取付ける柱Ｆ１等の構造躯体Ｆの表面（側面）の配置位置にずれ等がある場合には、例えば図６のように壁パネルＰと柱Ｆ１との間に間隔調整プレート６を介在させると、取付後の壁パネルＰの表面を均一に平に仕上げることができる。その間隔調整プレート６は、図の場合は該プレート６に形成したＵ字状の切欠溝６ａを前記取付ボルト２や係止ボルト３に係合させて構造躯体Ｆに取付けた壁パネル取付金具１と壁パネルＰとの間に狭持させるようにしたものであるが、上記プレート６の支持構造は適宜変更可能であり、また上記プレート６は上記構造躯体Ｆと壁パネル取付金具１との間に介在させてもよい。また必要に応じて上記のような間隔調整プレート６を前記の受圧プレート４と構造躯体Ｆとの間、具体的には受圧プレート４と壁パネル１の間または受圧プレート４と構造躯体Ｆとの間に介在させるようにしもよい。さらに上記各間隔調整プレート６は、厚さの異なるものを複数種類用意して構造躯体Ｆの表面の位置ずれの大きさ等に応じて適宜選択して使用するようにしてもよい。
【００２８】
また上記実施形態は、構造躯体Ｆとして建物躯体、特にＨ形鋼よりなる鉄骨柱Ｆ１に壁パネルＰを取付ける場合を例にして説明したが、前記図７に示すような角管等よりなる鉄骨柱Ｆ１やその他各種の建物躯体や防音壁や防護壁等の構築物の構造躯体に取付ける場合にも適用可能である。
【産業上の利用可能性】
【００２９】
以上のように本発明による壁パネル取付金具およびそれを用いた壁パネル取付構造ならびに取付施工方法は、上記の構成であるから、壁パネル取付金具１を構造簡単かつ容易安価に製造できると共に、その壁パネル取付金具１を用いて長方形の壁パネルＰを横長に配置した状態で建物躯体等の構造躯体に容易・迅速に取付けることができる。特に本発明による壁パネル取付金具は、前記従来のように下地取付用金物や下地金物を介することなく構造躯体に溶接固定することができるので、部品点数・組立工数を大幅に削減することが可能となる。その結果、壁パネルを構造躯体に取付ける際の施工コストを大幅に削減できると共に、工期を短縮することが可能となるもので、ＡＬＣパネルやその他各種の壁パネルを建物躯体等の構造躯体に取付けるための壁パネル取付金具およびそれを用いた壁パネル取付構造ならびに取付施工方法として有効適切であり、産業上も有効に利用することができるものである。
【図面の簡単な説明】
【００３０】
【図１】（ａ）は本発明による壁パネル取付金具の一実施形態を示す平面図、（ｂ）はその正面図。
【図２】（ａ）は本発明による壁パネル取付構造の一実施形態を示す平面図、（ｂ）はその正面図。
【図３】（ａ）および（ｂ）は図２（ａ）および（ｂ）の一部の拡大図、（ｃ）は（ｂ）の側面図。
【図４】（ａ）は図３（ａ）の一部切欠き拡大図、（ｂ）は図３（ｂ）の一部の拡大図。
【図５】壁パネルを構造躯体に取付ける状態の説明図。
【図６】壁パネルと構造躯体との間に間隔調整プレートを介在させた壁パネル取付構造一部の平面部、（ｂは）その正面図。
【図７】（ａ）は壁パネル取付構造の従来例を示す横断平面図、（ｂ）は他の従来例を示す横断平面図。
【符号の説明】
【００３１】
１  壁パネル取付金具
１０  金具本体
１１  貫通孔
１２  切欠溝
２  取付ボルト
３  係止ボルト
４  受圧プレート
５  アンカー
６  間隔調整プレート
Ｐ  壁パネル
Ｆ  構造躯体
Ｆ１  鉄骨柱
Ｗ  溶接部
ｈ  アンカー孔
【図１】
2010159540.tif 000003
【図２】
2010159540.tif 000004
【図３】
2010159540.tif 000005
【図４】
2010159540.tif 000006
【図５】
2010159540.tif 000007
【図６】
2010159540.tif 000008
【図７】
2010159540.tif 000009